(57)【特許請求の範囲】
【請求項１】
前面を開口した複数の商品収納室と、各商品収納室の前面開口部に設置した小扉と、商品収納室を前後に仕切って２つの収納部を形成する内扉と、内扉を開閉制御するロック機構と、内扉開放時に商品収納室内を前後に移動して商品を搬送する商品搬送手段を備えた自動販売機において、
前記ロック機構にカバーを被装した
ことを特徴とする自動販売機。
【発明の詳細な説明】
【０００１】
【発明の属する技術分野】
本発明は、内扉によって前後に仕切られた収納部を有し、前側収納部の商品を販売した後、後側収納部の商品を前側収納部に搬送しこれを販売する自動販売機に関するもので、特に、内扉の構造に関するものである。
【０００２】
【従来の技術】
従来、この種の自動販売機として出願人は既に特願平８ー５４９２０号にかかる出願を提案している。
【０００３】
この自動販売機は、個別に区画された商品収納室を上下複数段に多数配置し、この商品収納室に収納された商品を個別に販売する構造となっている。また、この商品収納室は内扉によって前後に仕切られた互いに連通する２つの収納部を有している。さらに、商品収納室内には、商品を載置する商品載置手段を備えた商品搬送手段が設けられており、商品載置手段に載置した商品を商品収納室の前後に移動可能としている。
【０００４】
内扉は、商品収納室内を前後に仕切る板状部材からなり、前後に回動自在に上縁部を軸支されている。また、この回転軸にはねじりコイルバネが巻回され、この内扉を開方向に付勢しており、この内扉の開方向への回転を規制するロック機構を内扉の後方に備えている。このロック機構は、ソレノイド及び引っ掛け片からなり、この引っ掛け片を内扉に設けられた係止板に係合させて内扉の回転を規制している。
【０００５】
また、商品搬送手段は、商品載置手段である商品トレーと、その後方に設けられたコイルバネからなり、後側収納部に待機中は商品載置手段は前方に力が付勢されている。後側収納部に商品載置手段を待機させるときは、内扉を閉鎖することにより前方への移動を規制している。
【０００６】
この自動販売機により商品を販売するときは、まず、第１の商品を商品載置手段に載置し後側収納部に待機させるとともに内扉を閉鎖し、さらに、前側収納部に第２の商品を収納する。そして、前側収納部の第２の商品を販売した後に、ロック機構を制御して内扉を開放するとともに商品載置手段を前方に移動して第１の商品を商品収納室の前方に搬送させ、この第１の商品を次回に販売する。
【０００７】
【発明が解決しようとする課題】
しかしながら、この自動販売機では、内扉後方のロック機構に針金等を利用して引っ掛け片を操作することによりロックを解除するというイタズラや商品盗難が発生する場合があり好ましいものではなかった。特に、各商品収納室は冷気を流通させることを目的として縦横に多数のワイヤを組み込んで形成しているため、ワイヤの隙間からイタズラ等される可能性が高いものであった。
【０００８】
本発明は、上記事情に鑑みてなされたものであり、その目的とするところは、イタズラや盗難を防止する効果の高い自動販売機を提供することにある。
【０００９】
【課題を解決するための手段】
上記目的を達成するために、本発明は、前面を開口した複数の商品収納室と、各商品収納室の前面開口部に設置した小扉と、商品収納室を前後に仕切って２つの収納部を形成する内扉と、内扉を開閉制御するロック機構と、内扉開放時に商品収納室内を前後に移動して商品を搬送する商品搬送手段を備えた自動販売機において、前記ロック機構にカバーを被装したことを特徴とする。
【００１０】
本発明によれば、内扉を開閉制御するロック機構にカバーが被装されているので、ロック機構が外部と遮蔽されて外部から操作することが極めて困難なものとなる。
【００１１】
【発明の実施の形態】
本発明の一実施の形態にかかる自動販売機について図１乃至図５を参照して説明する。図１は自動販売機の正面図、図２は自動販売機の断面図、図３は商品収納室の斜視図、図４は内扉の斜視図、図５はロック機構の要部を示す斜視図である。
【００１２】
この自動販売機は、縦長の断熱箱にて構成された自動販売機本体１内に前面開口の内箱２を設け、この自動販売機本体１の前面開口を外扉３にて開閉自在としたものである。この自動販売機本体１と内箱２との間には通風ダクト４を形成しており、送風機５にて蒸発器６で冷却された空気を通風ダクト４に循環し（図２の一点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設けている。また、この各商品収納室８は、互いに隣接する商品収納室８間で冷気が流通するよう縦横に多数のワイヤ８ａを組み込んで形成している。
【００１３】
なお、自動販売機の前面にはコイン投入口１０、紙幣投入口１１、返却レバー１２、返却口１３、投入金額等を表示するセグメント表示器１４等が設置されている。
【００１４】
この商品収納室８は前後に仕切る仕切り扉機構８１を有し、この仕切り扉機構８１により前後に商品Ａを収納する収納部８２ａ，８２ｂを形成している。また、この仕切り扉機構８１は略門型の支持フレーム８１１に軸支された内扉８１２を有し、この内扉８１２を上下に回動することにより後側収納部８２ｂを開放・閉鎖するようになっている。また、この回転軸８１３にはねじりコイルバネ８１４が巻回され、この内扉８１２を開方向に付勢している。他方、この内扉８１２の開方向への回転を規制するものとしてロック機構８１５が支持フレーム８１１に付設されている。また、このロック機構８１５の駆動状態を検知する内扉開閉検知器（本実施の形態ではマイクロスイッチ）８１６を有している。
【００１５】
この内扉８１２は、図４に示すように、略矩形の平板状部材からなり商品収納室８の高さ及び幅より僅かに小さく設けている。内扉の裏面の左右一方の端には、ロック機構８１５の引っ掛け片８１５ｂと係合する孔を備えた係止板８１２ａが立設している。また、この内扉８１２の下端は、内扉８１２の強度を向上させるために、後側収納部８２ｂ方向に折り曲げて内扉フランジ８１２ｂを形成している。さらに、この内扉８１２の下端には、内扉８１２の裏面から内扉フランジ８１２ｂの縁部に亘って案内部材８１２ｃが付設されている。この案内部材８１２ｃは、平板状部材からなり、案内部材本体８１２ｃ１と長手方向端部の片側に付設した一対の案内片８１２ｃ２からなる。この案内片８１２ｃ２は、案内部材本体８１２ｃ１との内角が鈍角（本実施の形態では１３５°）となるように折り曲げて形成した板状部材であり、その端部が内扉フランジ８１２ｂの縁部に係合するように付設されている。さらに、この内扉８１２の下部中央付近には、親指１本が入る程度の高さを有する切り欠き８１２ｄが設けてあり、内扉８１２を閉鎖又は閉動作中であっても切り欠き８１２ｄより手指を挿入することができる。
【００１６】
ロック機構８１５は、図５に示すように、ソレノイド８１５ａ、ソレノイド８１５ａ下部のプランジャに配置され先端に引っ掛け爪を有する引っ掛け片８１５ｂ、同じくプランジャに配置された略Ｌ字状の作動片８１５ｃ及びソレノイド８１５ａを支持フレーム８１１に固設するソレノイド取付板８１５ｄからなる。
【００１７】
この引っ掛け片８１５ｂは内扉８１２の裏面に突出した係止板８１２ａに対向しており、ソレノイド８１５ａのプランジャの先端が下位にあるときは、引っ掛け片８１５ｂが係止板８１２ａの孔に係止して内扉８１２を閉鎖状態に維持し、逆に、上位にあるときは引っ掛け片８１５ｂが係止板８１２ａの孔から外れ、内扉８１２を開放できるようになっている。一方、作動片８１５ｃはその先端が開閉検知器８１６に対向しており、プランジャの先端が下位にあるときは開閉検知器８１６はソレノイド８１５ａの駆動を検知せず、逆に、上位にあるときはソレノイド８１５ａの駆動を検知するようになっている。
【００１８】
ソレノイド取付板８１５ｄは、断面Ｌ字状に折り曲げた板状部材からなり、ソレノイド８１５ａ、その下部に配置された引っ掛け片８１５ｂ及び作動片８１５ｃを覆うような高さ位置に付設されている。
【００１９】
さらに、この支持フレーム８１１には、ソレノイド８１５ａ、引っ掛け片８１５ｂ及び作動片８１５ｃを覆い被せるようにカバー８１７が被装されている。このカバー８１７は、断面略コ字状に折り曲げた板状部材からなり、支持フレーム８１１からソレノイド取付板８１５ｄに亘って付設されている。このカバー８１７により、引っ掛け片８１５ｂを操作することを防止し、この引っ掛け片８１５ｂの操作はソレノイド８１５ａの制御によるもののみとしている。
【００２０】
このように仕切り扉機構８１により２分割された商品収納室８には商品Ａを載置しかつ移動する搬送装置８３が設けられている。この搬送装置８３は商品載置手段８３１とコイルバネ８３２とから構成されている。
【００２１】
この商品載置手段８３１は皿状の商品トレー８３１ａを有し、この商品トレー８３１ａ上に商品Ａを載置するようになっている。また、この商品トレー８３１ａの両側を商品収納室８の両側下部に配置された棒状の案内レール８３１ｂに載せる一方、この商品トレー８３１ａの中央には連結筒８３１ｃを嵌め込み、さらには、この連結筒８３１ｃを商品収納室８の前後に亘って配置された軌道ワイヤ８３１ｄに貫通させている。これにより、商品トレー８３１ａを前後の各収納部８２ａ，８２ｂに亘って摺動自在にしている。なお、案内レール８３１ｂ及び軌道ワイヤ８３１ｄは商品収納室８の前後に配置された支持板（図示省略）に連結固定されている。
【００２２】
前記コイルバネ８３２は連結筒８３１ｃと商品収納室８の後側の支持板との間に配置されたもので、その内部に軌道ワイヤ８３１ｄを貫通させ、商品トレー８３１ａを前方に付勢するようになっている。これにより、商品トレー８３１ａが後側収納部８２ｂに待機しているときは、この商品トレー８３１ａが閉鎖した内扉８１２の裏面に押圧された状態となり、他方、この内扉８１２が開放されるときは、コイルバネ８３２の付勢力により前側収納部８２ａに押し出されることとなる。
【００２３】
この自動販売機によれば、ロック機構８１５にカバー８１７が被装されているので、ロック機構８１５が遮蔽されて外部から操作することが極めて困難となる。即ち、内扉８１２の開放は、ロック機構８１５のソレノイド８１５ａを制御することのみによって行われ、外部から針金等を利用してロック機構８１５を操作することは極めて困難となる。これにより、針金等を利用してロック機構８１５を解除するというイタズラ・盗難の発生を防止することができるので、盗難防止効果の高いものとなる。
【００２４】
【発明の効果】
以上詳述したように、本発明の自動販売機によれば、内扉を開閉制御するロック機構にカバーが被装されているので、ロック機構が外部と遮蔽されて外部から操作することが極めて困難なものとなる。これにより、針金等を利用してロック機構を解除するというイタズラや盗難の発生を防止することができる。
【図面の簡単な説明】
【図１】自動販売機の正面図
【図２】自動販売機の断面図
【図３】商品収納室の斜視図
【図４】内扉の斜視図
【図５】ロック機構の要部を示す斜視図
【符号の説明】
１…自動販売機本体、２…内箱、８…商品収納室、９…小扉、８１２…内扉、８１２ｂ…内扉フランジ、８１２ｃ…案内部材、８１２ｄ…切り欠き、８１４…ねじりコイルバネ、８１５…ロック機構、８１５ａ…ソレノイド、８１５ｄ…ソレノイド取付板、８１７…カバー、８２ａ，８２ｂ…収納部、８３１ａ…商品トレー、８３２…コイルバネ。
【図１】
0003929127.tif 000002
【図２】
0003929127.tif 000003
【図３】
0003929127.tif 000004
【図４】
0003929127.tif 000005
【図５】
0003929127.tif 000006